(57)【要約】      （修正有）【課題】例えば、ＤｏＳを介した攻撃に対する高い安全性を示し、且つ、高いデータ伝送速度による通信を可能とするデータ通信装置及びデータ通信の方法を提供する。【解決手段】データ通信装置において、外部無線装置２０４と無線データ交換するための第１無線通信モジュール２０３を備えるか又は第１無線通信モジュール２０３に接続される計算ユニット及びデータユニット２０２と、外部無線装置２０４と無線通信する第２無線通信モジュール２０５と、第１の無線通信モジュール２０３からの識別データを格納するメモリ２０７と、を備える。外部無線装置２０４から、第１無線通信モジュール用の識別データを受信すると、第１無線通信モジュール２０３は、外部無線装置２０４と接続を確立できる状態になるとともに、後続のデータ交換ができる状態になる。【選択図】図２
2020074620.tif 000002
【特許請求の範囲】
【請求項１】
外部無線装置（１０４、２０４）と無線データ交換するための第１無線通信モジュール（１０３、２０３）を備えるか、又は、前記第１無線通信モジュール（１０３、２０３）に接続される、計算ユニット及びデータユニット（１０２、２０２）と、
前記外部無線装置（１０４、２０４）と無線通信する第２無線通信モジュール（２０５）と、
前記第１無線通信モジュール（１０３、２０３）の識別データを格納するメモリ（２０７）と、
を備えるデータ通信装置であって、
前記第１無線通信モジュール（１０３、２０３）が、前記外部無線装置（１０４、２０４）によって検出不能であるが、第１無線通信モジュール（１０３、２０３）の識別データを前記外部無線装置（１０４、２０４）から受信すると、接続を確立できる状態になり、前記外部無線装置（１０４、２０４）との後続のデータ交換ができる状態になる、受信モードで作動させられ、
前記第２無線通信モジュール（２０５）が、前記外部無線装置（１０４、２０４）からの通信問い合わせを待つ待機モードで作動させられ、
前記第２無線通信モジュール（２０５）が、前記外部無線装置（１０４、２０４）から通信問い合わせを受信すると、前記第２無線通信モジュール（２０５）が、前記外部無線装置（１０４、２０４）への無線通信接続の確立後に、前記メモリ（２０７）から前記第１無線通信モジュール（１０３、２０３）の前記識別データを読み出し、前記識別データを前記外部無線装置（１０４、２０４）に送信する、データ通信装置。
【請求項２】
前記第１無線通信モジュール（１０３、２０３）が、Ｂｌｕｅｔｏｏｔｈ（登録商標）ベースの通信モジュールである、請求項１に記載のデータ通信装置。
【請求項３】
前記第２無線通信モジュール（２０５）が、Ｂｌｕｅｔｏｏｔｈ（登録商標）ベースの通信モジュールである、請求項１又は２に記載のデータ通信装置。
【請求項４】
前記第２無線通信モジュール（２０５）が、一度に外部無線装置と１つの通信接続のみを確立する、請求項１〜３のいずれか一項に記載のデータ通信装置。
【請求項５】
供給電圧入力部（１０１）と、
前記供給電圧入力部（１０１）に結合され、前記計算ユニット及びデータユニット（１０２、２０２）に接続された電圧出力部を備えるスイッチオンユニット（１０５、４０５）と、
をさらに備え、
前記スイッチオンユニット（１０５、４０５）が、前記第２無線通信モジュール（２０５）を備え、
前記第２無線通信モジュール（２０５）が、前記外部無線装置（１０４、２０４）から通信問い合わせを受信すると、前記第２無線通信モジュール（２０５）が、前記計算ユニット及びデータユニット（１０２、２０２）を始動するとともに、前記第１無線通信モジュール（１０３、２０３）を始動してそれを前記受信モードに切り替えるために、前記スイッチオンユニット（１０５、４０５）に、前記電圧出力部を介して供給電圧（Ｖ１）を前記計算ユニット及びデータユニット（１０２、２０２）へ送出させ、
前記外部無線装置（１０４、２０４）との前記データ交換が完了すると、前記第２無線通信モジュール（２０５）が、前記待機モードに変化する、請求項１〜４のいずれか一項に記載のデータ通信装置。
【請求項６】
前記第１無線通信モジュール（１０３、２０３）が、前記第２無線通信モジュール（２０５）より高いデータ伝送速度と、待機モードにおいて、前記第２無線通信モジュールより高いエネルギ消費とを備える、請求項１〜５のいずれか一項に記載のデータ通信装置。
【請求項７】
電圧供給ユニット（１０６）が、前記供給電圧入力部と前記スイッチオンユニット（１０５、４０５）との間に接続され、
前記電圧供給ユニット（１０６）が、充電可能なアキュムレータを備える、請求項５又は６に記載のデータ通信装置。
【請求項８】
前記データ交換が完了すると、前記第２無線通信モジュール（２０５）が、前記電圧出力部を介した、前記計算ユニット及びデータユニット（１０２、２０２）への前記供給電圧（Ｖ１）の送出を前記スイッチオンユニット（１０５、４０５）に遮断させる、請求項５〜７のいずれか一項に記載のデータ通信装置。
【請求項９】
前記スイッチオンユニット（１０５、４０５）と前記計算ユニット及びデータユニット（１０２、２０２）とが、信号線（Ｌ１）によって互いに接続され、前記信号線（Ｌ１）を介して、前記第２無線通信モジュール（２０５）が、前記スイッチオンユニット（１０５、４０５）から前記計算ユニット及びデータユニット（１０２、２０２）への前記供給電圧（Ｖ１）の供給に際し所定の第１の期間の終了後に、前記計算ユニット及びデータユニット（１０２、２０２）を始動するためのスイッチオン信号を前記計算ユニット及びデータユニット（１０２、２０２）に送信する、請求項５〜８のいずれか一項に記載のデータ通信装置。
【請求項１０】
前記スイッチオンユニット（１０５、４０５）が、所定の第２の期間の終了後に、前記電圧出力部を介した前記計算ユニット及びデータユニット（１０２、２０２）への前記供給電圧（Ｖ１）の送出を遮断する前に、前記第２無線通信モジュールが、前記計算ユニット及びデータユニット（１０２、２０２）を不作動にするためのスイッチオフ信号を、前記信号線（Ｌ１）を介して前記計算ユニット及びデータユニット（１０２、２０２）に送信する、請求項９に記載のデータ通信装置。
【請求項１１】
第２無線通信モジュール（２０５）が無線装置（１０４、２０４）からの通信問い合わせを待つ待機モードで、前記第２無線通信モジュール（２０５）を作動させるステップと、
前記第２無線通信モジュール（２０５）が、前記無線装置（１０４、２０４）から通信問い合わせを受信した場合に、
前記第２無線通信モジュール（２０５）と前記無線装置（１０４、２０４）との間で無線通信接続を構築し、前記第２無線通信モジュール（２０５）によってメモリ（２０７）から第１無線通信モジュール（１０３、２０３）の識別データを読み出すステップと、
前記第２無線通信モジュールから前記無線装置（１０４、２０４）に前記識別データを送信するステップと、
前記第１無線通信モジュール（１０３、２０３）を前記無線装置（１０４、２０４）によって検出不能であるが、前記無線装置（１０４、２０４）から自身の識別データを受信すると、前記無線装置（１０４、２０４）と接続を確立できる状態になるとともに、後続の無線データ交換できる状態になる、受信モードで、前記第１無線通信モジュール（１０３、２０３）を作動させるステップと、
を備える、データ通信の方法。
【請求項１２】
前記第１無線通信モジュール（１０３、２０３）が、Ｂｌｕｅｔｏｏｔｈ（登録商標）技術によって通信する、請求項１１に記載のデータ通信の方法。
【請求項１３】
前記第２無線通信モジュール（２０５）が、Ｂｌｕｅｔｏｏｔｈ（登録商標）技術によって通信する、請求項１１又は１２に記載のデータ通信の方法。
【請求項１４】
前記第２無線通信モジュール（２０５）が、一度に無線装置（１０４、２０４）と１つの通信接続のみを確立する、請求項１１〜１３のいずれか一項に記載のデータ通信用の方法。
【請求項１５】
前記第２無線通信モジュール（２０５）が前記外部無線装置（１０４、２０４）から通信問い合わせを受信し、前記第２無線通信モジュール（２０５）が、計算ユニット及びデータユニット（１０２、２０２）を始動するとともに、前記第１無線通信モジュール（１０３、２０３）を始動して、それを前記受信モードに切り替えるために、前記計算ユニット及びデータユニット（１０２、２０２）がスイッチオンユニット（１０５、４０５）によって供給電圧（Ｖ１）を供給されるようにする場合に、
前記第１無線通信モジュール（１０３、２０３）と前記無線装置（１０４、２０４）との間で無線通信接続を構築し、次に前記第１無線通信モジュール（１０３、２０３）と前記無線装置（１０４、２０４）との間でデータを交換するステップと、
前記データ交換が完了した場合に、前記第２無線通信モジュール（２０５）を前記待機モードに切り替えるステップと、
をさらに備える、請求項１１〜１４のいずれか一項に記載のデータ通信の方法。
【請求項１６】
前記第１無線通信モジュール（１０３、２０３）が、前記第２無線通信モジュール（２０５）より高いデータ伝送速度と、前記待機モードにおいて、前記第２無線通信モジュールより高いエネルギ消費と、を備える、請求項１１〜１５のいずれか一項に記載のデータ通信の方法。
【請求項１７】
前記スイッチオンユニット（１０５、４０５）が、電圧供給ユニット（１０６）によって入力電圧を供給され、
前記電圧供給ユニット（１０６）が、充電可能なアキュムレータを備える、請求項１５又は１６に記載のデータ通信の方法。
【請求項１８】
前記データ交換が完了すると、前記第２無線通信モジュール（２０５）が、前記スイッチオンユニット（１０５、４０５）が前記計算ユニット及びデータユニット（１０２、２０２）への前記供給電圧（Ｖ１）の送出を遮断するようにする、請求項１５〜１７のいずれか一項に記載のデータ通信の方法。
【請求項１９】
前記スイッチオンユニット（１０５、４０５）から前記計算ユニット及びデータユニット（１０２、２０２）への前記供給電圧（Ｖ１）の供給に際し所定の第１の期間の終了後に、前記計算ユニット及びデータユニット（１０２、２０２）を始動するために、前記第２無線通信モジュール（２０５）からのスイッチオン信号が、前記計算ユニット及びデータユニット（１０２、２０２）に送信される、請求項１５〜１８のいずれか一項に記載のデータ通信の方法。
【請求項２０】
所定の第２の期間の終了後に、前記スイッチオンユニット（１０５、４０５）から前記計算ユニット及びデータユニット（１０２、２０２）への前記供給電圧（Ｖ１）の送出が遮断される前に、前記第２無線通信モジュール（２０５）からのスイッチオフ信号が、前記計算ユニット及びデータユニット（１０２、２０２）を不作動にするために、前記計算ユニット及びデータユニット（１０２、２０２）に送信される、請求項１９に記載のデータ通信の方法。
【発明の詳細な説明】
【技術分野】
【０００１】
本発明は、データ通信装置及びデータ通信の方法に関する。
【背景技術】
【０００２】
無線で、即ちワイヤレス方式で互いに通信する無線モジュールがある。無線モジュールが互いに通信できるように、他方の無線モジュールのそれぞれのアドレスが、知られているか、又は無線によって検出できなければならない。
【０００３】
安全上の理由で、例えば、ＤｏＳ（Ｄｅｎｉａｌ  ｏｆ  Ｓｅｒｖｉｃｅ、サービス妨害）による攻撃に対する保護を提供するために、無線モジュールは、少なくともほとんどの時間、通信が望ましくない他の無線モジュールにとって「不可視」又は検出不能であるべきである。
【０００４】
これは、通信相手のアドレスが既知であれば解決することができ、何故なら、そのアドレスが、例えば、通信相手と通信することを望む無線モジュールに格納されているからである。しかしながら、これは、モジュールが（頻繁に）若しくはモジュールが取り付けられているユニットが、取り替えられなければならない場合、又は多くのモジュール若しくはユニットから構成されたプールが用いられ、プールからの通信相手が前もって知られていない場合には、実現可能ではない。
【０００５】
別の解決策は、例えば、それぞれのモジュール又はユニット上のボタンを押す（例えば、「可視」モードを始動する）ことによって、モジュール又はユニットを「明らかにする」ことである。これは、ユーザが対応する行動をとる必要があるため、面倒である。その上、これは、対応する外部スイッチ用の追加費用を発生させる。
【０００６】
特に、ユーザが、どんな介入の可能性も有しないように、空間的に分離され、及び／又は、しっかりと取り付けられている（例えば、天井取り付け）ユニットの場合に、互いに知られていないこれらのモジュールがあるひとつの通信接続に入る可能性はない。
【０００７】
データ処理量、データ伝送速度、範囲、周波数、チャネル等の点で異なる特性を備えた様々な周知の無線技術がある。これらの技術は、以下に限定されないが、Ｚ−Ｗａｖｅ、ＥｎＯｃｅａｎによるバッテリレス無線感覚システム、Ｚｉｇｂｅｅ（登録商標）、Ｂｌｕｅｔｏｏｔｈ（登録商標）、ＷｉＦｉ（８０２．１１ａ、８０２．１１ｂ等）、ＷＵＳＢ（無線ＵＳＢ）、ＷＨＤＩ（ＳＲＩ）と同様にＷｉＨＤ（無線ＨＤＭＩ（登録商標））及びプロプライエタリソリューション（ｐｒｏｐｒｉｅｔａｒｙ  ｓｏｌｕｔｉｏｎｓ）を含む。例えば、医用工学の分野において、特にＢｌｕｅｔｏｏｔｈ（登録商標）、Ｚｉｇｂｅｅ（登録商標）及びＷｉＦｉを含む特定の無線標準が、地位を確立した。
【０００８】
「Ｂｌｕｅｔｏｏｔｈ（登録商標）」は、一般に、「クラシック」及び「ローエナジー」に細分される。「クラシック」は、オリジナルプロトコルＢｌｕｅｔｏｏｔｈ（登録商標）３．０、Ｂｌｕｅｔｏｏｔｈ（登録商標）２．１等に関し、そのモジュール又はチップもまた、クラシックモジュールと呼ばれる。Ｂｌｕｅｔｏｏｔｈ（登録商標）４．０以来、接続の迅速な確立のため経済的方法での省エネ動作モードを可能にする「ローエナジー」（「クラシック」への追加プロトコルスタック）の選択肢もまた存在する。しかしながら、関連するＢｌｕｅｔｏｏｔｈ（登録商標）ベースの低エナジーモジュールは、低いデータ伝送速度及び低いデータ処理量しかもたらさない。市販の全てのＢｌｕｅｔｏｏｔｈ（登録商標）−４．０モジュールは、いわゆる単一モードモジュールと呼ばれる、クラシックプロトコルのみに若しくはローエナジープロトコルのみに基づくか、又は、クラシックモードとローエナジーモードとの間で切り替わることができるようにする、いわゆるデュアルモードモジュールと呼ばれる両方のプロトコルに基づく。しかしながら、接続の確立の前のエネルギ消費量が、クラシックモードによって決定されるため、かかるデュアルモードモジュールでさえ、接続の確立に先立つ始動状態において、単一モードモジュールより高いエネルギ消費を有する。
【０００９】
Ｂｌｕｅｔｏｏｔｈ（登録商標）プロトコルによれば、例えば、モジュールが、他のＢｌｕｅｔｏｏｔｈ（登録商標）モジュールを捜し、且つ、他のＢｌｕｅｔｏｏｔｈ（登録商標）モジュールからの要求を受け入れる「検出可能」モードが存在する。更に、モジュールがそのアドレスでアドレス指定された場合に、モジュールが接続できる状態となる「接続」モードが存在するが、それ自体は、他のモジュールによって検出することができない。
【００１０】
低エナジーモジュールは、それが、別の（低エナジー）モジュールに対して一度に１つの接続だけを確立し維持できるという特性を有する。
【００１１】
バッテリ又はアキュムレータによって電圧を供給され、且つ、無線によって自らの通信を実行する幾つかの整形外科ユニットが存在する。
【００１２】
更に、例えば、内部人工器官の分野におけるインプラントの患者特有の位置決定のためなど、関節手術処置に関するスマートツールとして医師に役立つ整形外科ナビゲーションシステムが知られている。これに関連して、例えば、患者の身体に装着される赤外光源（受動の赤外光反射送信機）の位置は、ビデオ光学カメラシステムによって、空間において手術中に検出される。赤外光反射送信機の互いに対する場所及び位置、並びに患者に対する手術器具の場所及び位置もまた計算することが可能である。測定値は、更なるデータを用いて（例えば、手術前の計画データを用いて）計算され、且つ、インプラントを配置し位置決めする際に助けとなる。更に、個別のインプラントコンポーネントは、最適な整列によってインプラントの耐久性及び機能を保証するために、互いに調和させることができる。
【００１３】
しかしながら、外科的処置中に、カメラが、無線によってワイヤレス方式で計算／表示装置と通信しなければならないことが万一発生した場合に、例えば、５００ｋｂｉｔ／ｓを超えるより高いデータ処理量（及びより高いデータ速度）が、各無線経路用に要求されることがしばしばある。従って、通常、より高いデータ速度を提供するだけでなく、より高い電力消費を有する無線技術を用いる必要性がある。しかしながら、使用中の電力消費は、必ずしも最大の問題ではなく、もっと正確に言えば、問題は、ユニット又は対応する無線モジュールが、接続に入るために待機しているか、又は接続要求を待っている時間中の待機電流である。これは、バッテリ駆動ユニット又はアキュムレータ駆動ユニットが、常に接続に入ることができる状態でいなければならない場合に、これらユニットの耐用年数に影響する。
【発明の概要】
【発明が解決しようとする課題】
【００１４】
本発明の目的は、例えば、ＤｏＳを介した攻撃に対する高い安全性を示し、且つ、高いデータ伝送速度を提供するデータ通信装置及びデータ通信の方法を生成することである。
【課題を解決するための手段】
【００１５】
その目的は、独立請求項の特徴で達成される。従属請求項は、本発明の好ましい実施形態に向けられている。
【００１６】
本発明によれば、外部無線装置と無線データ交換するための第１無線通信モジュールを備えるか、又は、第１無線通信モジュールに接続される、計算ユニット及びデータユニットと、外部無線装置と無線で通信する第２無線通信モジュールと、第１無線通信モジュールの識別データを格納するメモリと、を備え、第１無線通信モジュールが、外部無線装置によっては検出不能であるが、第１無線通信モジュールの識別データを外部無線装置から受信すると、接続を確立できる状態になり、外部無線装置との後続のデータ交換ができる状態になる、受信モードで作動させられ、第２無線通信モジュールが、外部無線装置からの通信問い合わせを待つ待機モードで作動させられ、第２無線通信モジュールが、外部無線装置から通信問い合わせを受信すると、第２無線通信モジュールが、外部無線装置への無線通信接続の確立後に、メモリから第１無線通信モジュールの識別データを読み出し、外部無線装置に前記識別データを送信する、データ通信装置が作製される。
【００１７】
第１無線通信モジュールが、Ｂｌｕｅｔｏｏｔｈ（登録商標）ベースの通信モジュール、例えば、Ｂｌｕｅｔｏｏｔｈ（登録商標）クラシックモジュール又はＢｌｕｅｔｏｏｔｈ（登録商標）デュアルモードモジュールであることが好ましい。
【００１８】
更に好ましくは、第２無線通信モジュールは、Ｂｌｕｅｔｏｏｔｈ（登録商標）ベースの通信モジュール、例えば、Ｂｌｕｅｔｏｏｔｈ（登録商標）低エナジーモジュール（ＢＬＥモジュール）又は同様にＢｌｕｅｔｏｏｔｈ（登録商標）単一モード低エナジーモジュールである。
【００１９】
第１及び／又は第２無線通信モジュールがＢｌｕｅｔｏｏｔｈ（登録商標）ベースの通信モジュールである場合に、それに対応して外部無線装置はまた、第１／第２無線通信モジュールとのＢｌｕｅｔｏｏｔｈ（登録商標）にサポートされた通信用に、対応するＢｌｕｅｔｏｏｔｈ（登録商標）ベースの通信モジュールを含んでもよい。
【００２０】
第２無線通信モジュールは、例えば、一度に外部無線装置と１つの通信接続のみを確立することができる。これは、他の無線装置が、第２無線通信モジュール及び第１無線通信モジュール両方との無線通信を妨害するのを防ぐ。従って、第１無線通信モジュールもまた正体を現さないので、他の無線装置は、第１無線通信モジュールの識別データを知るようにはならず、従って第１無線通信モジュールと通信することができない。
【００２１】
データ通信装置はまた、供給電圧入力部と、供給電圧入力部に結合され、計算ユニット及びデータユニットに接続された電圧出力部を備えるスイッチオンユニットと、を備えていてもよく、スイッチオンユニットは、第２無線通信モジュールを備え、第２無線通信モジュールが、外部無線装置から通信問い合わせを受信すると、第２無線通信モジュールは、計算ユニット及びデータユニットを始動すると共に、第１無線通信モジュールを始動してそれを受信モードに切り替えるために、スイッチオンユニット（１０５、４０５）に、電圧出力部を介して供給電圧を計算ユニット及びデータユニットへ送出させ、外部無線装置とのデータ交換が完了すると、第２無線通信モジュールは、待機モードに変化する。
【００２２】
データ交換が完了すると、第１無線通信モジュールは、同様に不作動状態に入ってもよいし、再び受信モードに変化してもよい。
【００２３】
第１無線通信モジュールは、例えば、第２無線通信モジュールより高いデータ伝送速度と、待機モードにおいて、第２無線通信モジュールより高いエネルギ消費とを有していてもよい。ここで、待機モードは、無線通信接続に入ることができる状態に関係するのが好ましい。しかしながら、第１無線通信モジュールが、役割を担う２つの無線通信モジュールの比較によるエネルギ消費レベル外で、第２無線通信モジュールより高いデータ伝送速度及び／又はより高いデータ処理量を有すれば、それでまた十分である。
【００２４】
例として、第１無線通信モジュールのデータ伝送速度は、少なくとも２００ｋｂｉｔ／ｓになり、更に好ましくは少なくとも２５０ｋｂｉｔ／ｓになる。更に好ましくは、第１無線通信モジュールのデータ伝送速度は、１Ｍｂｉｔ／ｓより高い。更に好ましくは、第１無線通信モジュールの伝送速度は、１．５Ｍｂｉｔ／ｓ以上である。例えば、第１無線通信モジュールのデータ処理量は、少なくとも１００ｋｂｉｔ／ｓになる。例えば、待機モードにおける第２無線通信モジュールのエネルギ消費は、２０μＡ未満である。
【００２５】
電圧供給ユニットは、供給電圧入力部とスイッチオンユニットとの間に接続されてもよく、電圧供給ユニットは、充電可能なアキュムレータを備えていてもよい。
【００２６】
データ通信装置は、代わりに、バッテリを含んでもよく、バッテリによって、スイッチオンユニットは、第２無線通信モジュール用の電源として働くバッテリ電圧を供給され、スイッチオンユニットは、第２無線通信モジュール及び供給電圧入力部の両方に結合され、第２無線通信モジュールから対応する信号を受信すると、電圧出力部を介して計算ユニット及びデータユニットに供給電圧を供給し、第２無線通信モジュールから対応する信号を受信すると、供給電圧の供給を遮断する電圧切り替えユニットを備える。
【００２７】
計算ユニット及びデータユニットは、画像データを集めるカメラを備えていてもよく、前記画像データは、未処理形態で、又は計算ユニット及びデータユニットによって処理された場合の形態で、第１無線通信モジュールを介して外部無線装置に送信されてもよい。カメラは、例えば、整形外科で用いられるカメラとして、特に整形外科ナビゲーションシステムのカメラとして、且つ特に外科的処置中に用いられるためのカメラとして設計されていてもよい。前記カメラは、赤外光を放射することができ、対応する反射送信機によって反射された光を検出することができ、例えば、計算ユニット及びデータユニットに、転送されるための信号にその光を変換することができる（又は、かかる信号を処理することができる）。しかしながら、他の光ビームが、カメラによって捕捉され、且つ、更にそれらを処理し表示するために計算ユニット及びデータユニットに転送されることがまた可能である。従って、画像データは、カメラによって検出又は捕捉できる任意の形態の信号に関し、且つ、未処理又は処理された形態で、無線によって外部無線装置に転送することができる。
【００２８】
データ交換が完了すると、第２無線通信モジュールは、電圧出力部を介した、計算ユニット及びデータユニットへの供給電圧の送出をスイッチオンユニットに遮断させてもよい。
【００２９】
更に、スイッチオンユニットと計算ユニット及びデータユニットとは、信号線によって互いに接続されてもよく、信号線を介して、第２無線通信モジュールは、スイッチオンユニットから計算ユニット及びデータユニットへの供給電圧の供給に際し、所定の第１の期間の終了後に、計算ユニット及びデータユニットを始動するためのスイッチオン信号を計算ユニット及びデータユニットに送信する。これは、計算ユニット及びデータユニットが、スイッチオン信号を受信し処理できることを保証する。
【００３０】
更に、第２無線通信モジュールは、スイッチオンユニットが、所定の第２の期間の終了後に、電圧出力部を介した計算ユニット及びデータユニットへの供給電圧の送出を遮断する前に、計算ユニット及びデータユニットを不作動にするためのスイッチオフ信号を、信号線を介して計算ユニット及びデータユニットに送信してもよい。これは、電流供給が最終的に遮断される前に、計算ユニット及びデータユニットを安全な方法で停止させることができるようにする。
【００３１】
データユニット及び計算ユニットは、更なる信号線を介してスイッチオンユニットに接続されてもよく、更なる信号線を介して、計算ユニット及びデータユニットは、スイッチオンユニットにシステムステータスを転送することができる。前記システムステータスは、第１無線通信モジュール又はデータユニット及び計算ユニットと外部無線装置との間のデータ交換の終了であってもよい。システムステータスを受信すると、第２無線通信モジュールは、外部無線装置への接続を遮断し、待機モードに変化してもよい。更に、次に、第２無線通信モジュールは、計算ユニット及びデータユニットの停止及び／又は計算ユニット及びデータユニットへの供給電圧の送出の遮断を開始してもよい。
【００３２】
データ交換の終了は、第２無線通信モジュールに通信されてもよいが、さらに（又は代わりに）第１無線通信モジュールによって無線を介して伝えられてもよい。
【００３３】
本発明によれば、また、第２無線通信モジュールが無線装置からの通信問い合わせを待つ待機モードで、第２無線通信モジュールを作動させるステップと、第２無線通信モジュールが、無線装置から通信問い合わせを受信した場合に、第２無線通信モジュールと無線装置との間で無線通信接続を構築し、第２無線通信モジュールによってメモリから第１の無線通信モジュールの識別データを読み出すステップと、第２無線通信モジュールから無線装置に識別データを送信するステップと、第１無線通信モジュールを無線装置によって検出不能であるが、自身の識別データを無線装置から受信すると、無線装置と接続を確立できる状態になると共に、後続の無線データ交換できる状態になる、受信モードで、第１無線通信モジュールを作動させるステップと、を含む、データ通信の方法が生成される。
【００３４】
第１無線通信モジュールは、Ｂｌｕｅｔｏｏｔｈ（登録商標）、例えばＢｌｕｅｔｏｏｔｈ（登録商標）クラシックプロトコルによって通信してもよい。
【００３５】
第２無線通信モジュールは、Ｂｌｕｅｔｏｏｔｈ（登録商標）、例えばＢｌｕｅｔｏｏｔｈ（登録商標）低エナジープロトコルによって通信してもよい。
【００３６】
第１無線通信モジュールは、例えば、第２無線通信モジュールより高いデータ伝送速度及び／又はより高いデータ処理量、並びに待機モードにおいて、より高いエネルギ消費を備える。この点で、それは、データ伝送速度、データ処理量及びエネルギ消費に関して前述の数を基準とする。
【００３７】
第２無線通信モジュールは、例えば、一度に外部無線装置と１つの通信接続のみを確立することができる。
【００３８】
データ通信の方法はまた、第２無線通信モジュールが外部無線装置から通信問い合わせを受信し、第２無線通信モジュールが、計算ユニット及びデータユニットを始動すると共に、第１無線通信モジュールを始動して、それを受信モードに切り替えるために、計算ユニット及びデータユニットがスイッチオンユニットによって供給電圧を供給されるようにする場合に、第１無線通信モジュールと無線装置との間の無線通信接続を構築し、次に第１の無線通信モジュールと無線装置との間でデータを交換するステップと、データ交換が完了した場合に、第２の無線通信モジュールを待機モードに切り替えるステップと、を備えていてもよい。
【００３９】
第２無線通信モジュールは、例えば、一度に外部無線装置と１つの通信接続のみを確立し得る。
【００４０】
スイッチオンユニットは、電圧供給ユニットによって入力電圧が供給されてもよく、電圧供給ユニットは、充電可能なアキュムレータを備えていてもよい。
【００４１】
データ交換が完了すると、第２無線通信モジュールは、スイッチオンユニットが、計算ユニット及びデータユニットへの供給電圧の送出を遮断するようにしてもよい。
【００４２】
スイッチオンユニットから計算ユニット及びデータユニットへの供給電圧の供給に際し所定の第１の期間の終了後に、計算ユニット及びデータユニットを始動するために、第２の無線通信モジュールからのスイッチオン信号が、計算ユニット及びデータユニットに送信されてもよい。
【００４３】
更に、所定の第２の期間の終了後に、スイッチオンユニットから計算ユニット及びデータユニットへの供給電圧の送出が遮断される前に、第２無線通信モジュールからのスイッチオフ信号が、計算ユニット及びデータユニットを不作動にするために、計算ユニット及びデータユニットに送信されてもよい。
【００４４】
本発明の好ましい実施形態は、関連する図面を参照して以下で説明される。
【図面の簡単な説明】
【００４５】
【図１】本発明の実施形態によるデータ通信装置のブロック図である。
【図２】本発明の更なる実施形態によるデータ通信装置のブロック図である。
【図３】本発明によるスイッチオンユニットのブロック図である。
【図４】本発明の更に別の実施形態によるデータ通信装置のブロック図である。
【図５】図４のデータ通信装置において用いることができる、本発明によるスイッチオンユニットを示す。
【発明を実施するための形態】
【００４６】
図２は、本発明の実施形態による好ましいデータ通信装置のブロック図を示す。供給電圧入力部（例えば電圧ソケット）２０１は、計算ユニット及びデータユニット２０２に供給電圧Ｖ６を送出する。
【００４７】
計算ユニット及びデータユニット２０２は、例えば、整形外科ナビゲーションシステムの対応する電子システムを含むナビゲーションカメラである。計算ユニット及びデータユニット２０２は、第１無線通信モジュール２０３に接続されるか、又は、前記モジュール２０３を備える。例として、第１無線通信モジュール２０３は、上記で定義したようなＢｌｕｅｔｏｏｔｈ（登録商標）クラシックモジュールである。第１無線通信モジュール２０３は、例えば、整形外科ナビゲーションシステムにおけるカメラデータ用の計算／表示ユニットである、外部無線装置２０４と（ワイヤレス方式で）無線によって通信する。前記計算／表示ユニットは、取り付けられた又は別個のモニタを有する通常のＰＣであってもよく、対応するカメラデータを少なくとも処理可能、及び／又は、表示可能なタブレットＰＣ若しくは任意の他のユニットであってもよい。しかしながら、外部無線装置２０４は、第１無線通信モジュール２０３と無線によって通信する任意の装置であってもよい。それは、例えば、別の整形外科ユニットであってもよい。
【００４８】
更に、第１無線通信モジュール２０３と外部無線装置２０４との間のデータ交換は、双方向特性であってもよく、又は（例えばカメラからの）データ以外に何も、更なる処理用に外部無線装置２０４に送信されないように設計されてもよい。しかしながら、これは、これらの２つの装置間の接続を確立するためのデータ又は信号の恐らく要求される双方向交換とは関係ない。
【００４９】
更に、第２無線通信モジュール２０５は、計算ユニット及びデータユニット２０２と第２無線通信モジュール２０５の一部における要求に依存しており、供給電圧Ｖ６と同じか又はそれと異なる供給電圧Ｖ７に、供給電圧入力部２０１を介して供給される。第２無線通信モジュール２０５は、例えば、上記で定義したようなＢｌｕｅｔｏｏｔｈ（登録商標）低エナジーモジュールである。第２無線通信モジュールは、特に第１無線通信モジュール２０３の識別データ（例えば、アドレス）を格納するためにとりわけ設けられるメモリ２０７を備える。メモリは、第２無線通信モジュール２０５に含まれていてもよいし、第２無線通信モジュール２０５と通信できるように別個に設けられてもよい。メモリ２０７は、例えばＥＥＰＲＯＭであってもよい。例として、メモリ２０７はまた、必要な場合には、更なるデータを格納してもよい。
【００５０】
第２無線通信モジュール２０５は、（ワイヤレス方式で）無線によって外部無線装置２０４と通信し、例えば、第１無線通信モジュール２０３との通信接続を構築するために、第１無線通信モジュール２０３を直接アドレス指定できるように、メモリ２０７に格納されて外部無線装置２０４によって要求される識別データを外部無線装置２０４に送信する。
【００５１】
選択肢として、第１無線通信モジュール２０５は、第１無線通信モジュールのステータス、例えば接続状態を示す第１ディスプレイ２０８、例えば発光ダイオード（ＬＥＤ）に接続される。更に、計算ユニット及びデータユニット２０２は、第２ディスプレイ２０９（例えばＬＥＤ）及び第３ディスプレイ２１０（例えばＬＥＤ）に任意に接続され、第２ディスプレイ２０９は、例えば、計算ユニット及びデータユニット２０２が供給電圧Ｖ６を供給されているかどうかを示し、第３ディスプレイ２１０は、例えば、計算ユニット及びデータユニット２０２にエラーが発生したかどうかを示す。更に、第１無線通信モジュール２０３は、例えば、外部無線装置１０４への接続の接続状態を示す第４ディスプレイ２１１（例えばＬＥＤ）に任意に接続される。
【００５２】
図１は、本発明の更なる実施形態によるデータ通信装置のブロック図を示す。電圧Ｖ３が、供給電圧入力部（例えば、電圧ソケット）１０１を介して電圧供給ユニット１０６に供給される。電圧供給ユニット１０６は、例えば、外部点から又はデータ通信装置の外部から供給電圧入力部１０１を介して充電できるアキュムレータを備えていてもよい。電圧供給ユニット１０６は、スイッチオンユニット１０５に電圧Ｖ２を出力する。今度は、スイッチオンユニット１０５が、計算ユニット及びデータユニット１０２に供給電圧Ｖ１を出力する。更に、スイッチオンユニット１０５は、信号線Ｌ１を介して計算ユニット及びデータユニット１０２に接続され、この信号線Ｌ１を介して、スイッチオンユニット１０５は、例えば、計算ユニット及びデータユニット１０２をオン又はオフにするためのスイッチオン信号及びスイッチオフ信号を計算ユニット及びデータユニット１０２に出力する。次に、計算ユニット及びデータユニット１０２が、更なる信号線Ｌ２を介してスイッチオンユニット１０５にシステムステータスを送出できてもよく、前記ステータスは、例えば、計算ユニット及びデータユニット１０２のオン又はオフ状態を示す。最後に、スイッチオンユニット１０５は、例えば、スイッチオンユニット１０５に含まれる第２無線通信モジュール３０１の接続状態を示す第１ディスプレイ１０８、例えば発光ダイオード（ＬＥＤ）に任意に結合される。
【００５３】
計算ユニット及びデータユニット１０２は、更なる信号線Ｌ３を介して電圧供給ユニット１０６に接続され、信号線Ｌ３を介して、電圧供給ユニット１０６は、例えば、アキュムレータ１０７の充電状態を計算ユニット及びデータユニット１０２に出力し、信号線Ｌ３を介して、例えば計算ユニット及びデータユニット１０２は、例えば制御信号を電圧供給ユニット１０６に出力する。更に、計算ユニット及びデータユニット１０２は、第２ディスプレイ１０９（例えば、ＬＥＤ）及び第３ディスプレイ１１０（ＬＥＤ）に任意に結合され、第２のディスプレイ１０９は、計算ユニット及びデータユニット１０２が供給電圧Ｖ１を供給されているかどうかを示し、第３ディスプレイ１１０は、例えば、計算ユニット及びデータユニット１０２にエラーが発生したかどうかを示す。
【００５４】
計算ユニット及びデータユニット１０２は、例えば、整形外科ナビゲーションシステムの対応する電子システムを備えるナビゲーションカメラである。次に、計算ユニット及びデータユニット１０２は、第１無線通信モジュール１０３に接続されるか又は前記モジュール１０３を備える。例として、第１無線通信モジュール１０３は、上記で定義したようなＢｌｕｅｔｏｏｔｈ（登録商標）クラシックモジュールである。第１無線通信モジュール１０３は、例えば、整形外科ナビゲーションシステムにおけるカメラデータ用の計算／表示ユニットである外部無線装置１０４と（ワイヤレス方式で）無線によって通信する。前記計算／表示ユニットは、取り付けられた又は別個のモニタを有する通常のＰＣであってもよいし、対応するカメラデータを少なくとも処理可能、及び／又は、表示可能なタブレットＰＣ若しくは任意の他のユニットであってもよい。しかしながら、外部無線装置１０４は、第１無線通信モジュール１０３と無線によって通信する任意の装置であってもよい。それは、例えば、別の整形外科ユニットであってもよい。
【００５５】
更に、第１無線通信モジュール１０３と外部無線装置１０４との間のデータ交換は、双方向特性であってもよいし、又はそれは、（例えば、カメラからの）データ以外に何も、更なる処理用の外部無線装置１０４に送信されないように設計されてもよい。しかしながら、これは、これらの２つの装置間の接続の確立のためのデータ又は信号の恐らく要求される双方向交換とは関係ない。
【００５６】
第１無線通信モジュール１０３は、更に、例えば、外部無線装置１０４への接続の接続状態を示す第４ディスプレイ１１１（例えば、ＬＥＤ）に任意に結合される。
【００５７】
電圧供給ユニット１０６は、上記のようなアキュムレータだけでなく、充電装置（充電電子機器）も備えていてもよい。充電装置は、供給電圧入力部１０１を介して電圧Ｖ３を供給されてもよい。充電装置２１２は、送出された電圧Ｖ３によって、必要に応じてアキュムレータを充電することができ、スイッチオンユニット１０５に電圧Ｖ２を出力することができる。
【００５８】
図３は、本発明によるスイッチオンユニット１０５を示し、スイッチオンユニット１０５は、第２無線通信モジュール３０１と、第１無線通信モジュール１０３の識別データを格納するためのメモリ（図示せず）を備え、例えば、図１のデータ通信装置において用いられる。電圧供給ユニット１０６からの電圧Ｖ２は、一方で電圧切り替えユニット３０２に供給され、他方で恐らく任意の電圧変換機３０３に供給される。電圧切り替えユニット３０２は、計算ユニット及びデータユニット１０２に供給電圧Ｖ１を出力する。電圧変換機３０３は、第２無線通信モジュール３０１に電圧Ｖ５を出力する。電圧Ｖ２が、既に第２無線通信モジュール３０１に適した電圧と等しい場合に、電圧変換機３０３は必要とされず、その結果、電圧Ｖ２（Ｖ５と等しい）は、電圧変換機が間に接続されることなく、第２無線通信モジュール３０１に供給される。
【００５９】
第２無線通信モジュール３０１は、例えば上記のようなＢｌｕｅｔｏｏｔｈ（登録商標）低エナジーモジュールである。第２無線通信モジュール３０１は、電圧切り替えユニット３０２が、計算ユニット及びデータユニット１０２に供給電圧Ｖ１を送出することになるかどうか、又は供給電圧Ｖ１の供給が遮断されるべきかどうかを示す信号を電圧切り替えユニット３０２に出力するために、信号線Ｌ４を介して電圧切り替えユニット３０２に接続される。従って、電圧切り替えユニット３０２が、計算ユニット及びデータユニット１０２に供給電圧Ｖ１を出力するのは、信号線Ｌ４を介した対応する信号が、そうすべき命令を与える場合のみである。要求に従って、電圧切り替えユニット３０２は、電圧切り替えユニット３０２に送出された電圧Ｖ２を計算ユニット及びデータユニット１０２に適した供給電圧Ｖ１に変換する電圧変換機を備える。
【００６０】
第２無線通信モジュール３０１は、（ワイヤレス方式で）無線によって外部無線装置１０４と通信し、例えば、第１無線通信モジュール１０３との通信接続を構築するために、第１無線通信モジュール１０３を直接アドレス指定できるように、メモリ２０７に格納されて外部無線装置１０４によって要求される識別データを外部無線装置１０４に送信する。
【００６１】
図４は、本発明によるデータ通信装置の更なる実施形態を示す。同じ参照記号は、図１と同じか又は類似の要素に使用される。電圧Ｖ２は、供給電圧入力部１０１からスイッチオンユニット４０５に供給され、スイッチオンユニット４０５は、図には示されていないが、メモリを備える第２無線通信モジュールを含む。更に、バッテリ４０１が、スイッチオンユニット４０５に電圧Ｖ４を供給する。
【００６２】
図５は、図４のデータ通信装置において使用できるスイッチオンユニット４０５を示す。ここで、バッテリ電圧Ｖ４は、バッテリ４０１から、第２無線通信モジュール３０１に電圧Ｖ５を供給する電圧変換機３０３に供給される。しかしながら、供給電圧入力部１０１からの電圧Ｖ２は、次に供給電圧Ｖ１を出力する電圧切り替えユニット３０２に供給される。この配置において、バッテリ４０１は、低エネルギ消費量のみの第２無線通信モジュール３０１（例えば、ＢＬＥモジュール）への電力供給の責任を負うので、バッテリ４０１によって送出されるエネルギは、十分である。この場合に、電圧Ｖ２は、データ通信装置の動作において外部電圧源に接続される供給電圧入力部１０１を介して供給される。前記外部電圧源はまた、アキュムレータ又はバッテリであってもよい。
【００６３】
本発明によるデータ通信装置の動作が、例として以下で説明される。第１無線通信モジュール１０３、２０３は、電源によるその始動に恐らく続いて、受信モードにおいて作動され、受信モードにおいて、それは、外部無線装置１０４、２０４には検出できないが、その識別データを外部無線装置１０４、２０４から受信した際に、外部無線装置１０４、２０４への接続を確立できる状態となる。反対に、第２無線通信モジュール２０５、３０１は、待機モードで作動され、待機モードにおいて、第２無線通信モジュール２０５、３０１は、例えば、それが作動中であることを示す信号を所定の間隔で出力し、他のユニットが、第２無線通信モジュール２０５、３０１との接続又は通信を始めたいかどうかという事実に関して他のユニットをリッスンする。
【００６４】
最初に、第２無線通信モジュール３０１から「レディ」信号を受信し、それを通信用に選択する外部無線装置１０４、２０４は、第２無線通信モジュール３０１への接続を構築するために、対応する信号を第２の無線通信モジュール３０１に出力する。逆に、外部無線装置１０４、２０４から「レディ」信号を受信し、それを通信用に選択する第２の無線通信モジュール２０５、３０１が、外部無線装置１０４、２０４への接続を構築するために、対応する信号を外部無線装置１０４、２０４に出力することもまた起こってもよい。次に、外部無線装置１０４、２０４及び第２無線通信モジュール２０５、３０１は、恐らく前もって認証プロセスを通過した後で、通信接続に入る。
【００６５】
続いて、第２無線通信モジュール１０４、２０４は、恐らく外部無線装置１０４、２０４による要求の際、第１無線通信モジュール１０３、２０３の識別データをメモリ２０７から読み出し、それを外部無線装置１０４、２０４に送信する。その後、外部無線装置１０４、２０４は、第１無線通信モジュール１０３、２０３への通信接続に入り、例えば高データ速度でデータ交換を実行するために、識別データ（例えば、アドレス）を用いて、第１無線通信モジュール１０３、２０３を直接アドレス指定することができる。
【００６６】
代替として、第２通信モジュール３０１は、外部無線装置１０４への通信接続を構築した後で、計算ユニット及びデータユニット１０２と恐らく第１無線通信装置１０３とが始動されるようにしてもよい。これは、例えば、計算ユニット及びデータユニット１０２が、スイッチオンユニット１０５、４０５によって供給電圧Ｖ１を供給されることで達成されてもよい。更に、計算ユニット及びデータユニット１０２の最終的な始動は、第２無線通信モジュール３０１が、信号線Ｌ１を介して計算ユニット及びデータユニット１０２に、対応するスイッチオン信号を出力することで達成されてもよい。
【００６７】
同時に、例えば、第１無線通信モジュール１０３は、電圧供給の提供によって、上記の受信モードに切り替えられる。外部無線装置１０４は、識別データを用いながら、接続確立要求と共に、対応する信号を第１無線通信モジュール１０３に送ってもよい。次に、接続は、恐らく対応する認証プロセスを解除した後で確立され、その結果、次に、第１無線通信モジュール１０３と外部無線装置１０４との間のデータ交換が実行されてもよい。
【００６８】
データ交換が完了した場合に、第１無線通信モジュール１０３、２０３は、例えば、計算ユニット及びデータユニット１０２、２０２によって不作動状態又は受信モードに切り替えられ、第２無線通信モジュール３０１は、待機モードに変化する。これは、計算ユニット及びデータユニット１０２が、信号線Ｌ２を介して、対応する信号を第２無線通信モジュール３０１に出力することで達成されてもよい。
【００６９】
データ交換の終了後でさえ、第１無線通信モジュール１０３、２０３は、外部無線装置１０４からの対応する信号によって不作動にすることができ、又は受信モードに切り替えることができる。第１無線通信モジュール１０３、２０３は、更に、それが外部無線装置１０４、２０４からどんな信号も受信しなくなった後の所定の期間後に、不作動状態又は受信モードに入ることができてもよい。第１無線通信モジュール１０３が、計算ユニット及びデータユニット１０２によって不作動状態又は受信モードに設定されない場合に、計算ユニット及びデータユニット１０２は、まだ第１無線通信モジュール１０３の状態を監視でき、第１無線通信モジュール１０３が、不作動状態又は受信モードである場合に、例えば、信号線Ｌ２を介した対応する信号によって、第２無線通信モジュール３０１を待機モードに切り替えることができる。他方で、また、第１無線通信モジュール１０３、２０３とのデータ交換が完了又は遮断される（又はされることになっている）外部無線装置１０４、２０４は、対応する無線信号を第２無線通信モジュール２０５、３０１に送信してもよく、前記信号は、第２無線通信モジュール２０５、３０１を待機モードに変換させる。更なる可能性は、外部無線装置１０４が、対応する終了信号を第２無線通信モジュール３０１に送信し、第２無線通信モジュール３０１が、当面の間、対応するスイッチオフ信号を、例えば、信号線Ｌ１を介して計算ユニット及びデータユニット１０２に出力し、それに対応して計算ユニット及びデータユニット１０２が、第１無線通信モジュール１０３を不作動にすることである。スイッチオフ信号の出力に続いて、次に、第２無線通信モジュール３０１は、待機モードに変わってもよく、又はそれが待機モードに変化するまで、当面の間、第１無線通信モジュール１０３の不作動を示す、計算ユニット及びデータユニット１０２からの、例えば、信号線Ｌ２を介した確定信号を待ってもよい。
【００７０】
第２無線通信モジュール３０１が、待機モードに変化する前に、第２無線通信モジュール３０１は、電圧切り替えユニット３０２が、計算ユニット及びデータユニット１０２への供給電圧Ｖ１の送出を停止するように、対応する信号を電圧切り替えユニット３０２に出力してもよい。これは、例えば、計算ユニット及びデータユニット１０２の「電源を切った」後の所定の期間の終了後に行われてもよい。これは、ユニットのどの１つが、第１無線通信モジュール１０３及び第２無線通信モジュール３０１の不作動を開始するかに依存して、第１無線通信モジュール１０３が、不作動にされたか又はそのプロセスを完了した場合と、計算ユニット及びデータユニット１０２が、そのプロセスを完全に終了し、従って電源の遮断を可能にする場合にのみ、計算ユニット及びデータユニット１０２への供給電圧Ｖ１の送出の遮断が達成されることが保証されなければならないことを意味する。
【００７１】
従って、例えば、第１無線通信モジュールと外部無線装置１０４との間のデータ転送用の第１無線通信モジュールの高伝送速度が必要とされ、更に、ＤｏＳによる攻撃に対する安全性があるべきであり、又は他の無線装置への望ましくない接続が回避されるべきである場合に、第１無線通信モジュール用に（かかる高データ伝送速度を提供する）Ｂｌｕｅｔｏｏｔｈ（登録商標）クラシックモジュールを使用すること、及び第２無線通信モジュール用に（かかる高データ伝送速度を提供しないが、第１無線通信モジュール用に使用されるＢｌｕｅｔｏｏｔｈ（登録商標）クラシックモジュールにとって可能でないような、望ましくない接続に対する安全性を提供する）Ｂｌｕｅｔｏｏｔｈ（登録商標）低エナジーモジュールを使用することが、有利である。
【図１】
2020074620.tif 000003
【図２】
2020074620.tif 000004
【図３】
2020074620.tif 000005
【図４】
2020074620.tif 000006
【図５】
2020074620.tif 000007
【手続補正書】
【提出日】令和2年2月27日(2020.2.27)
【手続補正１】
【補正対象書類名】特許請求の範囲
【補正対象項目名】全文
【補正方法】変更
【補正の内容】
【特許請求の範囲】
【請求項１】
外部無線装置（１０４、２０４）と無線データ交換するための第１無線通信モジュール（１０３、２０３）を備えるか、又は、前記第１無線通信モジュール（１０３、２０３）に接続される、計算ユニット及びデータユニット（１０２、２０２）と、
前記外部無線装置（１０４、２０４）と無線通信する第２無線通信モジュール（２０５）と、
前記第１無線通信モジュール（１０３、２０３）の識別データを格納するメモリ（２０７）と、
を備えるデータ通信装置であって、
前記第１無線通信モジュール（１０３、２０３）が、前記外部無線装置（１０４、２０４）によって検出不能であるが、第１無線通信モジュール（１０３、２０３）の識別データを前記外部無線装置（１０４、２０４）から受信すると、接続を確立できる状態になり、前記外部無線装置（１０４、２０４）との後続のデータ交換ができる状態になる、受信モードで作動させられ、
前記第２無線通信モジュール（２０５）が、前記外部無線装置（１０４、２０４）からの通信問い合わせを待つ待機モードで作動させられ、
前記第２無線通信モジュール（２０５）が、前記外部無線装置（１０４、２０４）から通信問い合わせを受信すると、前記第２無線通信モジュール（２０５）が、前記外部無線装置（１０４、２０４）への無線通信接続の確立後に、前記メモリ（２０７）から前記第１無線通信モジュール（１０３、２０３）の前記識別データを読み出し、前記識別データを前記外部無線装置（１０４、２０４）に送信し、
データ通信装置は、
供給電圧入力部（１０１）と、
前記供給電圧入力部（１０１）に結合され、前記計算ユニット及びデータユニット（１０２、２０２）に接続された電圧出力部を備えるスイッチオンユニット（１０５、４０５）と、
をさらに備え、
前記スイッチオンユニット（１０５、４０５）が、前記第２無線通信モジュール（２０５）を備え、
前記第２無線通信モジュール（２０５）が、前記外部無線装置（１０４、２０４）から通信問い合わせを受信すると、前記第２無線通信モジュール（２０５）が、前記計算ユニット及びデータユニット（１０２、２０２）を始動するとともに、前記第１無線通信モジュール（１０３、２０３）を始動してそれを前記受信モードに切り替えるために、前記スイッチオンユニット（１０５、４０５）に、前記電圧出力部を介して供給電圧（Ｖ１）を前記計算ユニット及びデータユニット（１０２、２０２）へ送出させ、
前記外部無線装置（１０４、２０４）との前記データ交換が完了すると、前記第２無線通信モジュール（２０５）が、前記待機モードに変化する、データ通信装置。
【請求項２】
前記第１無線通信モジュール（１０３、２０３）が、Ｂｌｕｅｔｏｏｔｈ（登録商標）ベースの通信モジュールである、請求項１に記載のデータ通信装置。
【請求項３】
前記第２無線通信モジュール（２０５）が、Ｂｌｕｅｔｏｏｔｈ（登録商標）ベースの通信モジュールである、請求項１又は２に記載のデータ通信装置。
【請求項４】
前記第２無線通信モジュール（２０５）が、一度に外部無線装置と１つの通信接続のみを確立する、請求項１〜３のいずれか一項に記載のデータ通信装置。
【請求項５】
前記第１無線通信モジュール（１０３、２０３）が、前記第２無線通信モジュール（２０５）より高いデータ伝送速度と、待機モードにおいて、前記第２無線通信モジュールより高いエネルギ消費とを備える、請求項１〜４のいずれか一項に記載のデータ通信装置。
【請求項６】
電圧供給ユニット（１０６）が、前記供給電圧入力部と前記スイッチオンユニット（１０５、４０５）との間に接続され、
前記電圧供給ユニット（１０６）が、充電可能なアキュムレータを備える、請求項１〜５に記載のデータ通信装置。
【請求項７】
前記データ交換が完了すると、前記第２無線通信モジュール（２０５）が、前記電圧出力部を介した、前記計算ユニット及びデータユニット（１０２、２０２）への前記供給電圧（Ｖ１）の送出を前記スイッチオンユニット（１０５、４０５）に遮断させる、請求項１〜６のいずれか一項に記載のデータ通信装置。
【請求項８】
前記スイッチオンユニット（１０５、４０５）と前記計算ユニット及びデータユニット（１０２、２０２）とが、信号線（Ｌ１）によって互いに接続され、前記信号線（Ｌ１）を介して、前記第２無線通信モジュール（２０５）が、前記スイッチオンユニット（１０５、４０５）から前記計算ユニット及びデータユニット（１０２、２０２）への前記供給電圧（Ｖ１）の供給に際し所定の第１の期間の終了後に、前記計算ユニット及びデータユニット（１０２、２０２）を始動するためのスイッチオン信号を前記計算ユニット及びデータユニット（１０２、２０２）に送信する、請求項１〜７のいずれか一項に記載のデータ通信装置。
【請求項９】
前記スイッチオンユニット（１０５、４０５）が、所定の第２の期間の終了後に、前記電圧出力部を介した前記計算ユニット及びデータユニット（１０２、２０２）への前記供給電圧（Ｖ１）の送出を遮断する前に、前記第２無線通信モジュールが、前記計算ユニット及びデータユニット（１０２、２０２）を不作動にするためのスイッチオフ信号を、前記信号線（Ｌ１）を介して前記計算ユニット及びデータユニット（１０２、２０２）に送信する、請求項８に記載のデータ通信装置。
【請求項１０】
第２無線通信モジュール（２０５）が無線装置（１０４、２０４）からの通信問い合わせを待つ待機モードで、前記第２無線通信モジュール（２０５）を作動させるステップと、
前記第２無線通信モジュール（２０５）が、前記無線装置（１０４、２０４）から通信問い合わせを受信した場合に、
前記第２無線通信モジュール（２０５）と前記無線装置（１０４、２０４）との間で無線通信接続を構築し、前記第２無線通信モジュール（２０５）によってメモリ（２０７）から第１無線通信モジュール（１０３、２０３）の識別データを読み出すステップと、
前記第２無線通信モジュールから前記無線装置（１０４、２０４）に前記識別データを送信するステップと、
前記第１無線通信モジュール（１０３、２０３）を前記無線装置（１０４、２０４）によって検出不能であるが、前記無線装置（１０４、２０４）から自身の識別データを受信すると、前記無線装置（１０４、２０４）と接続を確立できる状態になるとともに、後続の無線データ交換できる状態になる、受信モードで、前記第１無線通信モジュール（１０３、２０３）を作動させるステップと、
前記第２無線通信モジュール（２０５）が前記外部無線装置（１０４、２０４）から通信問い合わせを受信し、前記第２無線通信モジュール（２０５）が、計算ユニット及びデータユニット（１０２、２０２）を始動するとともに、前記第１無線通信モジュール（１０３、２０３）を始動して、それを前記受信モードに切り替えるために、前記計算ユニット及びデータユニット（１０２、２０２）がスイッチオンユニット（１０５、４０５）によって供給電圧（Ｖ１）を供給されるようにする場合に、
前記第１無線通信モジュール（１０３、２０３）と前記無線装置（１０４、２０４）との間で無線通信接続を構築し、次に前記第１無線通信モジュール（１０３、２０３）と前記無線装置（１０４、２０４）との間でデータを交換するステップと、
前記データ交換が完了した場合に、前記第２無線通信モジュール（２０５）を前記待機モードに切り替えるステップと、
を備える、データ通信の方法。
【請求項１１】
前記第１無線通信モジュール（１０３、２０３）が、Ｂｌｕｅｔｏｏｔｈ（登録商標）技術によって通信する、請求項１０に記載のデータ通信の方法。
【請求項１２】
前記第２無線通信モジュール（２０５）が、Ｂｌｕｅｔｏｏｔｈ（登録商標）技術によって通信する、請求項１０又は１１に記載のデータ通信の方法。
【請求項１３】
前記第２無線通信モジュール（２０５）が、一度に無線装置（１０４、２０４）と１つの通信接続のみを確立する、請求項１０〜１２のいずれか一項に記載のデータ通信用の方法。
【請求項１４】
前記第１無線通信モジュール（１０３、２０３）が、前記第２無線通信モジュール（２０５）より高いデータ伝送速度と、前記待機モードにおいて、前記第２無線通信モジュールより高いエネルギ消費と、を備える、請求項１０〜１３のいずれか一項に記載のデータ通信の方法。
【請求項１５】
前記スイッチオンユニット（１０５、４０５）が、電圧供給ユニット（１０６）によって入力電圧を供給され、
前記電圧供給ユニット（１０６）が、充電可能なアキュムレータを備える、請求項１０〜１４に記載のデータ通信の方法。
【請求項１６】
前記データ交換が完了すると、前記第２無線通信モジュール（２０５）が、前記スイッチオンユニット（１０５、４０５）が前記計算ユニット及びデータユニット（１０２、２０２）への前記供給電圧（Ｖ１）の送出を遮断するようにする、請求項１０〜１５のいずれか一項に記載のデータ通信の方法。
【請求項１７】
前記スイッチオンユニット（１０５、４０５）から前記計算ユニット及びデータユニット（１０２、２０２）への前記供給電圧（Ｖ１）の供給に際し所定の第１の期間の終了後に、前記計算ユニット及びデータユニット（１０２、２０２）を始動するために、前記第２無線通信モジュール（２０５）からのスイッチオン信号が、前記計算ユニット及びデータユニット（１０２、２０２）に送信される、請求項１０〜１６のいずれか一項に記載のデータ通信の方法。
【請求項１８】
所定の第２の期間の終了後に、前記スイッチオンユニット（１０５、４０５）から前記計算ユニット及びデータユニット（１０２、２０２）への前記供給電圧（Ｖ１）の送出が遮断される前に、前記第２無線通信モジュール（２０５）からのスイッチオフ信号が、前記計算ユニット及びデータユニット（１０２、２０２）を不作動にするために、前記計算ユニット及びデータユニット（１０２、２０２）に送信される、請求項１７に記載のデータ通信の方法。
【手続補正２】
【補正対象書類名】明細書
【補正対象項目名】００７１
【補正方法】変更
【補正の内容】
【００７１】
従って、例えば、第１無線通信モジュールと外部無線装置１０４との間のデータ転送用の第１無線通信モジュールの高伝送速度が必要とされ、更に、ＤｏＳによる攻撃に対する安全性があるべきであり、又は他の無線装置への望ましくない接続が回避されるべきである場合に、第１無線通信モジュール用に（かかる高データ伝送速度を提供する）Ｂｌｕｅｔｏｏｔｈ（登録商標）クラシックモジュールを使用すること、及び第２無線通信モジュール用に（かかる高データ伝送速度を提供しないが、第１無線通信モジュール用に使用されるＢｌｕｅｔｏｏｔｈ（登録商標）クラシックモジュールにとって可能でないような、望ましくない接続に対する安全性を提供する）Ｂｌｕｅｔｏｏｔｈ（登録商標）低エナジーモジュールを使用することが、有利である。
以下の項目は、国際出願時の請求の範囲に記載の要素である。
（項目１）
外部無線装置（１０４、２０４）と無線データ交換するための第１無線通信モジュール（１０３、２０３）を備えるか、又は、前記第１無線通信モジュール（１０３、２０３）に接続される、計算ユニット及びデータユニット（１０２、２０２）と、
前記外部無線装置（１０４、２０４）と無線通信する第２無線通信モジュール（２０５）と、
前記第１無線通信モジュール（１０３、２０３）の識別データを格納するメモリ（２０７）と、
を備えるデータ通信装置であって、
前記第１無線通信モジュール（１０３、２０３）が、前記外部無線装置（１０４、２０４）によって検出不能であるが、第１無線通信モジュール（１０３、２０３）の識別データを前記外部無線装置（１０４、２０４）から受信すると、接続を確立できる状態になり、前記外部無線装置（１０４、２０４）との後続のデータ交換ができる状態になる、受信モードで作動させられ、
前記第２無線通信モジュール（２０５）が、前記外部無線装置（１０４、２０４）からの通信問い合わせを待つ待機モードで作動させられ、
前記第２無線通信モジュール（２０５）が、前記外部無線装置（１０４、２０４）から通信問い合わせを受信すると、前記第２無線通信モジュール（２０５）が、前記外部無線装置（１０４、２０４）への無線通信接続の確立後に、前記メモリ（２０７）から前記第１無線通信モジュール（１０３、２０３）の前記識別データを読み出し、前記識別データを前記外部無線装置（１０４、２０４）に送信する、データ通信装置。
（項目２）
前記第１無線通信モジュール（１０３、２０３）が、Ｂｌｕｅｔｏｏｔｈ（登録商標）ベースの通信モジュールである、項目１に記載のデータ通信装置。
（項目３）
前記第２無線通信モジュール（２０５）が、Ｂｌｕｅｔｏｏｔｈ（登録商標）ベースの通信モジュールである、項目１又は２に記載のデータ通信装置。
（項目４）
前記第２無線通信モジュール（２０５）が、一度に外部無線装置と１つの通信接続のみを確立する、項目１〜３のいずれか一項に記載のデータ通信装置。
（項目５）
供給電圧入力部（１０１）と、
前記供給電圧入力部（１０１）に結合され、前記計算ユニット及びデータユニット（１０２、２０２）に接続された電圧出力部を備えるスイッチオンユニット（１０５、４０５）と、
をさらに備え、
前記スイッチオンユニット（１０５、４０５）が、前記第２無線通信モジュール（２０５）を備え、
前記第２無線通信モジュール（２０５）が、前記外部無線装置（１０４、２０４）から通信問い合わせを受信すると、前記第２無線通信モジュール（２０５）が、前記計算ユニット及びデータユニット（１０２、２０２）を始動するとともに、前記第１無線通信モジュール（１０３、２０３）を始動してそれを前記受信モードに切り替えるために、前記スイッチオンユニット（１０５、４０５）に、前記電圧出力部を介して供給電圧（Ｖ１）を前記計算ユニット及びデータユニット（１０２、２０２）へ送出させ、
前記外部無線装置（１０４、２０４）との前記データ交換が完了すると、前記第２無線通信モジュール（２０５）が、前記待機モードに変化する、項目１〜４のいずれか一項に記載のデータ通信装置。
（項目６）
前記第１無線通信モジュール（１０３、２０３）が、前記第２無線通信モジュール（２０５）より高いデータ伝送速度と、待機モードにおいて、前記第２無線通信モジュールより高いエネルギ消費とを備える、項目１〜５のいずれか一項に記載のデータ通信装置。
（項目７）
電圧供給ユニット（１０６）が、前記供給電圧入力部と前記スイッチオンユニット（１０５、４０５）との間に接続され、
前記電圧供給ユニット（１０６）が、充電可能なアキュムレータを備える、項目５又は６に記載のデータ通信装置。
（項目８）
前記データ交換が完了すると、前記第２無線通信モジュール（２０５）が、前記電圧出力部を介した、前記計算ユニット及びデータユニット（１０２、２０２）への前記供給電圧（Ｖ１）の送出を前記スイッチオンユニット（１０５、４０５）に遮断させる、項目５〜７のいずれか一項に記載のデータ通信装置。
（項目９）
前記スイッチオンユニット（１０５、４０５）と前記計算ユニット及びデータユニット（１０２、２０２）とが、信号線（Ｌ１）によって互いに接続され、前記信号線（Ｌ１）を介して、前記第２無線通信モジュール（２０５）が、前記スイッチオンユニット（１０５、４０５）から前記計算ユニット及びデータユニット（１０２、２０２）への前記供給電圧（Ｖ１）の供給に際し所定の第１の期間の終了後に、前記計算ユニット及びデータユニット（１０２、２０２）を始動するためのスイッチオン信号を前記計算ユニット及びデータユニット（１０２、２０２）に送信する、項目５〜８のいずれか一項に記載のデータ通信装置。
（項目１０）
前記スイッチオンユニット（１０５、４０５）が、所定の第２の期間の終了後に、前記電圧出力部を介した前記計算ユニット及びデータユニット（１０２、２０２）への前記供給電圧（Ｖ１）の送出を遮断する前に、前記第２無線通信モジュールが、前記計算ユニット及びデータユニット（１０２、２０２）を不作動にするためのスイッチオフ信号を、前記信号線（Ｌ１）を介して前記計算ユニット及びデータユニット（１０２、２０２）に送信する、項目９に記載のデータ通信装置。
（項目１１）
第２無線通信モジュール（２０５）が無線装置（１０４、２０４）からの通信問い合わせを待つ待機モードで、前記第２無線通信モジュール（２０５）を作動させるステップと、
前記第２無線通信モジュール（２０５）が、前記無線装置（１０４、２０４）から通信問い合わせを受信した場合に、
前記第２無線通信モジュール（２０５）と前記無線装置（１０４、２０４）との間で無線通信接続を構築し、前記第２無線通信モジュール（２０５）によってメモリ（２０７）から第１無線通信モジュール（１０３、２０３）の識別データを読み出すステップと、
前記第２無線通信モジュールから前記無線装置（１０４、２０４）に前記識別データを送信するステップと、
前記第１無線通信モジュール（１０３、２０３）を前記無線装置（１０４、２０４）によって検出不能であるが、前記無線装置（１０４、２０４）から自身の識別データを受信すると、前記無線装置（１０４、２０４）と接続を確立できる状態になるとともに、後続の無線データ交換できる状態になる、受信モードで、前記第１無線通信モジュール（１０３、２０３）を作動させるステップと、
を備える、データ通信の方法。
（項目１２）
前記第１無線通信モジュール（１０３、２０３）が、Ｂｌｕｅｔｏｏｔｈ（登録商標）技術によって通信する、項目１１に記載のデータ通信の方法。
（項目１３）
前記第２無線通信モジュール（２０５）が、Ｂｌｕｅｔｏｏｔｈ（登録商標）技術によって通信する、項目１１又は１２に記載のデータ通信の方法。
（項目１４）
前記第２無線通信モジュール（２０５）が、一度に無線装置（１０４、２０４）と１つの通信接続のみを確立する、項目１１〜１３のいずれか一項に記載のデータ通信用の方法。
（項目１５）
前記第２無線通信モジュール（２０５）が前記外部無線装置（１０４、２０４）から通信問い合わせを受信し、前記第２無線通信モジュール（２０５）が、計算ユニット及びデータユニット（１０２、２０２）を始動するとともに、前記第１無線通信モジュール（１０３、２０３）を始動して、それを前記受信モードに切り替えるために、前記計算ユニット及びデータユニット（１０２、２０２）がスイッチオンユニット（１０５、４０５）によって供給電圧（Ｖ１）を供給されるようにする場合に、
前記第１無線通信モジュール（１０３、２０３）と前記無線装置（１０４、２０４）との間で無線通信接続を構築し、次に前記第１無線通信モジュール（１０３、２０３）と前記無線装置（１０４、２０４）との間でデータを交換するステップと、
前記データ交換が完了した場合に、前記第２無線通信モジュール（２０５）を前記待機モードに切り替えるステップと、
をさらに備える、項目１１〜１４のいずれか一項に記載のデータ通信の方法。
（項目１６）
前記第１無線通信モジュール（１０３、２０３）が、前記第２無線通信モジュール（２０５）より高いデータ伝送速度と、前記待機モードにおいて、前記第２無線通信モジュールより高いエネルギ消費と、を備える、項目１１〜１５のいずれか一項に記載のデータ通信の方法。
（項目１７）
前記スイッチオンユニット（１０５、４０５）が、電圧供給ユニット（１０６）によって入力電圧を供給され、
前記電圧供給ユニット（１０６）が、充電可能なアキュムレータを備える、項目１５又は１６に記載のデータ通信の方法。
（項目１８）
前記データ交換が完了すると、前記第２無線通信モジュール（２０５）が、前記スイッチオンユニット（１０５、４０５）が前記計算ユニット及びデータユニット（１０２、２０２）への前記供給電圧（Ｖ１）の送出を遮断するようにする、項目１５〜１７のいずれか一項に記載のデータ通信の方法。
（項目１９）
前記スイッチオンユニット（１０５、４０５）から前記計算ユニット及びデータユニット（１０２、２０２）への前記供給電圧（Ｖ１）の供給に際し所定の第１の期間の終了後に、前記計算ユニット及びデータユニット（１０２、２０２）を始動するために、前記第２無線通信モジュール（２０５）からのスイッチオン信号が、前記計算ユニット及びデータユニット（１０２、２０２）に送信される、項目１５〜１８のいずれか一項に記載のデータ通信の方法。
（項目２０）
所定の第２の期間の終了後に、前記スイッチオンユニット（１０５、４０５）から前記計算ユニット及びデータユニット（１０２、２０２）への前記供給電圧（Ｖ１）の送出が遮断される前に、前記第２無線通信モジュール（２０５）からのスイッチオフ信号が、前記計算ユニット及びデータユニット（１０２、２０２）を不作動にするために、前記計算ユニット及びデータユニット（１０２、２０２）に送信される、項目１９に記載のデータ通信の方法。
【外国語明細書】
2020074620000001.pdf
2020074620000002.pdf
2020074620000003.pdf
2020074620000004.pdf